(57)【要約】【課題】  整水器本体の上面部に配設される操作盤と整水器本体の操作盤取付用開口との間から整水器本体内に水が浸入してもこれをすみやかに排水可能にして、防水機能を強化させたアルカリイオン整水器を提供する。【解決手段】  供給された水を電気分解してアルカリ性又は酸性にする電解槽４を整水器本体１に内装すると共に、上記電解槽４の水質選択を操作する操作盤９を整水器本体１の上面部に配設して成るアルカリイオン整水器である。整水器本体１の上面部に操作盤９を嵌合によって取り付けるための操作盤取付用開口１０を設ける。操作盤取付用開口１０の内縁に亙って操作盤９と操作盤取付用開口１０との間から浸入する水を受ける受溝部１１を設ける。受溝部１１で受けた水を整水器本体１の外部に排出する排水部１２を設ける。【選択図】図１
2008168237.tif 000002
【特許請求の範囲】
【請求項１】
供給された水を電気分解してアルカリ性又は酸性にする電解槽を整水器本体に内装すると共に、上記電解槽の水質選択を操作する操作盤を整水器本体の上面部に配設して成るアルカリイオン整水器において、整水器本体の上面部に操作盤を嵌合によって取り付けるための操作盤取付用開口を設け、操作盤取付用開口の内縁に亙って操作盤と操作盤取付用開口との間から浸入する水を受ける受溝部を設けると共に、受溝部で受けた水を整水器本体の外部に排出する排水部を設けたことを特徴とするアルカリイオン整水器。
【請求項２】
操作盤の下面の周縁部に亙って、操作盤と操作盤取付用開口との間から浸入して操作盤の下面に伝う水を受溝部に滴り落とすための水切り壁を突設したことを特徴とする請求項１記載のアルカリイオン整水器。
【請求項３】
整水器本体に供給された水を濾過して浄水とする浄水カートリッジを着脱自在に内装し、整水器本体の外側面に、浄水カートリッジの着脱の際に取り外す蓋材によって覆われる蓋材被覆部を整水器本体の内部と隔絶するように設け、排水部を受溝部と蓋材被覆部とを連通するように形成したことを特徴とする請求項２記載のアルカリイオン整水器。
【請求項４】
蓋材被覆部を整水器本体の前面に設けると共に、受溝部をその後部部位よりもその前部部位が下位置に位置するように形成し、排水部を受溝部の前部部位と蓋材被覆部とを連通するように形成したことを特徴とする請求項３記載のアルカリイオン整水器。
【発明の詳細な説明】
【技術分野】
【０００１】
本発明は、アルカリイオン整水器に関するものである。
【背景技術】
【０００２】
従来から、供給された水を電気分解してアルカリ性又は酸性にする電解槽を整水器本体に内装すると共に、上記電解槽の水質選択を操作する操作盤を整水器本体の外面に配設して成るアルカリイオン整水器が知られている（たとえば特許文献１参照）。
【０００３】
ところで、このアルカリイオン整水器は防水機能が充分ではなく、たとえば整水器本体を流し台のシンクの周縁に配設した場合に、水栓の吐水を整水器本体にかけたりしてしまうと、操作盤と整水器本体との間などから整水器本体内に水が浸入してアルカリイオン整水器の機能障害を生じさせる恐れがあった。
【特許文献１】特開２００５−２１１８１２号公報
【発明の開示】
【発明が解決しようとする課題】
【０００４】
本発明は上記の点に鑑みてなされたものであり、その目的とするところは、整水器本体の上面部に配設される操作盤と整水器本体の操作盤取付用開口との間から整水器本体内に水が浸入してもこれをすみやかに排水可能にして、防水機能を強化させたアルカリイオン整水器を提供することを課題とするものである。
【課題を解決するための手段】
【０００５】
上記課題を解決するために請求項１に係るアルカリイオン整水器にあっては、供給された水を電気分解してアルカリ性又は酸性にする電解槽４を整水器本体１に内装すると共に、上記電解槽４の水質選択を操作する操作盤９を整水器本体１の上面部に配設して成るアルカリイオン整水器において、整水器本体１の上面部に操作盤９を嵌合によって取り付けるための操作盤取付用開口１０を設け、操作盤取付用開口１０の内縁に亙って操作盤９と操作盤取付用開口１０との間から浸入する水を受ける受溝部１１を設けると共に、受溝部１１で受けた水を整水器本体１の外部に排出する排水部１２を設けたことを特徴とする。
【０００６】
これによると、整水器本体１を流し台のシンクの周縁に配設した場合に、水栓の吐水を整水器本体１にかけたりしてしまって、操作盤９と操作盤取付用開口１０との間から水が浸入したとしても、この浸入した水を操作盤取付用開口１０の内縁に亙って設けた受溝部１１で受け、受溝部１１から排水部１２を経て整水器本体１の外部に排出することができるのであり、整水器本体１の防水機能を強化することができる。
【０００７】
また、請求項２に係るアルカリイオン整水器にあっては、請求項１において、操作盤９の下面の周縁部に亙って、操作盤９と操作盤取付用開口１０との間から浸入して操作盤９の下面に伝う水を受溝部１１に滴り落とすための水切り壁３１を突設したことを特徴とする。
【０００８】
これによると、操作盤９と操作盤取付用開口１０との間から浸入して操作盤９の下面に伝おうとする水があっても、操作盤９の下面の周縁部に亙って突設する水切り壁３１によって上記水を受溝部１１に滴り落とし、受溝部１１から排水部１２を経て整水器本体１の外部に排水させることができるのであり、電装部品が実装されたり電気的接続が為される操作盤９の下面を浸入する水から保護することができ、整水器本体１の防水機能を強化することができる。
【０００９】
また、請求項３に係るアルカリイオン整水器にあっては、請求項２において、整水器本体１に供給された水を濾過して浄水とする浄水カートリッジ３を着脱自在に内装し、整水器本体１の外側面に、浄水カートリッジ３の着脱の際に取り外す蓋材６によって覆われる蓋材被覆部３０を整水器本体１の内部と隔絶するように設け、排水部１２を受溝部１１と蓋材被覆部３０とを連通するように形成したことを特徴とする。
【００１０】
これによると、操作盤９と操作盤取付用開口１０との間から浸入して受溝部１１で受けた水は、排水部１２を経て整水器本体１の内部と隔絶された蓋材被覆部３０に排出されることで、整水器本体１の外部に排出できることから、排水部１２を浄水カートリッジ３の着脱に用いる蓋材６によって隠匿させて目立たない構造にできたものであり、つまり、整水器本体１の良好な外観を確保しながらも整水器本体１の防水機能の強化を図ることができる。
【００１１】
また、請求項４に係るアルカリイオン整水器にあっては、請求項３において、蓋材被覆部３０を整水器本体１の前面１ａに設けると共に、受溝部１１をその後部部位よりもその前部部位が下位置に位置するように形成し、排水部１２を受溝部１１の前部部位と蓋材被覆部３０とを連通するように形成したことを特徴とする。
【００１２】
これによると、操作盤９と操作盤取付用開口１０との間から浸入して受溝部１１で受けた水を、受溝部１１の前部部位に集めた後に、排水部１２、蓋材被覆部３０を経て、整水器本体１の外部にすみやかに排出することができる。また、浄水カートリッジ３の着脱を整水器本体１の前面１ａから行うことができて便利である。
【発明の効果】
【００１３】
本発明にあっては、整水器本体の上面部に配設される操作盤と整水器本体の操作盤取付用開口との間から整水器本体内に水が浸入しても、支障なくすみやかにこれを排水させて、強固な防水性能を確保できる、という利点を有する。
【発明を実施するための最良の形態】
【００１４】
以下、本発明を添付図面に示す実施形態に基いて説明する。
【００１５】
アルカリイオン整水器は、原水からアルカリイオン水や酸性イオン水を生成したり、あるいは原水を浄水して吐水管１４より吐水させるものである。
【００１６】
図８のように、アルカリイオン整水器の整水器本体１内には、水経路２及び、アルカリイオン整水器の主体となる浄水カートリッジ３、カルシウム供給部１３、電解槽４をはじめとする機器が収容されている。水経路２の上流側端部には水道等の原水管４０が接続されており、水経路２の途中には上流側から順に浄水カートリッジ３、流量センサ４１、カルシウム供給部１３、電解槽４が配設してあると共に、電解槽４から下流側は、電解槽４で生成されるアルカリイオン水・酸性イオン水の一方または浄水を使用者に供給する吐水管１４と、前記吐水管１４からアルカリイオン水・酸性イオン水の一方を吐水する際にアルカリイオン水・酸性イオン水の他方を排出する排水管１５とに分岐されている。また、排水管１５には排水側電磁弁２０が設けてある。
【００１７】
浄水カートリッジ３は、水経路２を経て供給される原水を濾過する濾材を円柱状の容器に収納してあり、整水器本体１の前面１ａに開口して後述の前面蓋６ａで蓋がされるカートリッジ収納凹所５に収納された状態で、整水器本体１に着脱自在（交換可能）に配設される。詳しくは、濾材としては、原水中の残留塩素を吸収する活性炭、及び、一般細菌や不純物を取り除く中空紙膜を備えている。また、浄水カートリッジ３には水経路２への接続口である一対のカートリッジ側接続口８が備えられているが、この一対のカートリッジ側接続口８は浄水カートリッジ３の上部に設けたカートリッジ側上接続口８ａと、浄水カートリッジ３の下部に設けたカートリッジ側下接続口８ｂとで構成されている。また、水経路２の一部には浄水カートリッジ３への接続口である一対の本体側接続口７が備えられているが、この一対の本体側接続口７はカートリッジ収納凹所５の上面部及び下面部に臨むように配置された本体側上接続口７ａ及び本体側下接続口７ｂによって構成されている。浄水カートリッジ３がカートリッジ収納凹所５に収納された状態では、カートリッジ側下接続口８ｂが本体側下接続口７ｂに嵌合接続されて水経路２からの原水を浄水カートリッジ３内に導入可能にすると共に、カートリッジ側上接続口８ａが本体側上接続口７ａに嵌合接続されて浄水カートリッジ３の内部を経て生成された浄水を水経路２に供給可能にしている。
【００１８】
流量センサ４１は、通水を確認して後述する制御部１６に制御指示を行うものである。カルシウム供給部１３は、グリセロリン酸カルシウムや乳酸カルシウム等のカルシウムイオンを原水中に投与して導電率を高めるものである。また、カルシウム供給部１３は、グリセロリン酸カルシウムや乳酸カルシウム等のカルシウムイオンを原水中に投与して導電率を高めるものである。
【００１９】
電解槽４は、隔膜１７によって槽内が二分されて形成された各電極室に電極板１８，１９を備えている。そして、一方の電極板１８を備えた側の電極室には、この電極室にて生成される使用水（電極板１８が陰極の場合はアルカリイオン水、陽極の場合は酸性イオン水）を吐出するための上記吐水管１４が接続される。これに対して、他方の電極板１９を備えた側の電極室には、この電極室にて生成される使用されない方の水（電極板１９が陽極の場合は酸性イオン水、陰極の場合はアルカリイオン水）を排出するための上記排水管１５が接続されており、排水側電磁弁２０を開いて排水を行い得るようにされている。また、排水管１５の排水側電磁弁２０の上流側の部分には、内部配管の電解槽４の上流側の部分から分岐した排水用バイパス管１５ａが接続され、この途中に設けたバイパス弁１５ｂを開いて電解槽４内の滞留水や浄水カートリッジ３内の滞留水が排水可能にされている。なお、バイパス弁１５ｂは流路を絞った絞りで代用してもよい。また、排水管１５には、電解槽４で電解水を効率よく生成するため流量調整弁等からなる流量調節部２１が設けてある。
【００２０】
また整水器本体１には、浄水カートリッジ３の有無を検出する浄水器センサ２２、商用の交流電源に接続される電源投入用プラグ２３、電源投入用プラグ２３からの交流電源を直流電源に変える制御用電源部２４、整水器本体１の動作を制御する制御部１６、整水器本体１の作動操作を行うと共に作動状態を表示する操作表示部２５が設けてある。
【００２１】
操作表示部２５は、操作部２６と表示部２７とを備えている。操作部２６は、アルカリイオン水生成モードと浄水モードと酸性イオン水生成モードのいずれかを選択して切替える各モード切替ボタン２６ａ，２６ｂ，２６ｃを有する。この操作部２６によって、三つのモードのうちのいずれかを選択すると、表示部２７に選択されたモードが表示される。また、モード選択の後に通水すると制御部１６によって極性（すなわち一方の電極板１８を備えた側の電極室からアルカリイオン水生成と酸性イオン水生成のいずれが生成されるか）と通水状態が判断され、電解槽４での電気分解後にいずれかのモードにて選択された水が吐出される。なお、アルカリイオン水生成モードにおいては、ｐＨ調節ボタン２６ａ１〜２６ａ４によって強モード、中上モード、中下モード、弱モードのいずれか一つのモードを選択することもでき、表示部２７ではこれらの動作状態をＬＥＤまたはＬＣＤにより表示し、且つ必要に応じて報知音を発生させる報知音発生手段が併設される。
【００２２】
制御部１６は、ＭＰＵ１６ａ（Micro Processing Unit）、極性切換部１６ｂ、電解電圧スイッチング部１６ｃを備えており、ＭＰＵ１６ａが流量センサ４１や浄水器センサ１４や操作部２６から制御指示を得て演算処理して必要に応じて排水側電磁弁２０、表示部２７に動作指示をする。極性切換部１６ｂは、ＭＰＵ１６ａからの動作指示に応じて極性を切り換えるものである。電解電圧スイッチング部１６ｃは、ＭＰＵ１６ａからの動作指示に応じて、制御用電源部１６から出力された直流電圧電流をパルス変調することで電解槽４に印加する平均電圧を変化させる。そして、この電解電圧スイッチング部１６ｃでパルス変調された平均電圧に応じて、アルカリイオン水のｐＨ濃度を変化させることができる。
【００２３】
ところで、整水器本体１は、図３や図７のように、平行な面となる後面１ｂと前面１ａとの間の両側面１ｃが前方ほど離れて位置するような平面視台形状に形成されている。この整水器本体１は流し台のシンク周りに設置されるのであるが、たとえば整水器本体１をシンク２８の後縁フランジ部に置いて流し台や台所の後壁２９ａに整水器本体１の後面１ｂを沿わせると共に整水器本体１の前面１ａをシンク２８の前方に向けるようにして設置するようにしたり、たとえば整水器本体１をシンク２８の角部フランジ部に置いてシンク２８の角部で直交する流し台や台所の後壁２９ａと側壁２９ｂとに対して整水器本体１の両側面１ｃを近接させると共に整水器本体１の前面１ａを開けた空間となるシンク２８の中央部に向けるように（整水器本体１の前面１ａをシンク２８の斜め前方に向けるように）して設置することができる。殊に後者の場合、たとえば本例の整水器本体１と平面積が同等の平面視長方形状の整水器本体１´をシンク２８の角部に設置した場合に比べて、シンク２８の中央側への突出寸法を抑えることができて好ましい（図７参照）。つまり、本例の整水器本体１はその前面１ａをシンク２８の前方に位置する使用者側に向かせてシンク周りに設置するに適した形状となっている。
【００２４】
ここで、整水器本体１の前面１ａには、図３のように、浄水カートリッジ３の着脱の際に取り外す蓋材６である前面蓋６ａによって覆われる蓋材被覆部３０が設けられている。この蓋材被覆部３０は、整水器本体１の内部と隔絶されるように整水器本体１のハウジング１００の前部から後方に引き込むように凹設した凹段部状の引込凹部３０ａによって構成されている。この引込凹部３０ａに対して前面蓋６ａを被着したときには、図５のように被着した前面蓋６ａの表面が整水器本体１の前面１ａと面一になるようにされている。叙述のカートリッジ収納凹所５は引込凹部３０ａ内に位置して設けられており、引込凹部３０ａに被着した前面蓋６ａによってカートリッジ収納凹所５の前方開口が閉塞されるようになっている。このように、シンク周りに設置される本例の整水器本体１にあっては、その前面１ａに浄水カートリッジ３を着脱自在に収容するカートリッジ収納凹所５を開口させるように形成し、浄水カートリッジ３の取出口となるカートリッジ収納凹所５の前方開口を塞ぐように前面蓋６ａを着脱自在に被着する構造が採用されているので、シンク２８の前方に位置した使用者はシンク周りに設置された整水器本体１から前面蓋６ａを外して整水器本体１の前面１ａから浄水カートリッジ３をカートリッジ収納凹所５に対して着脱させることができるのであり、浄水カートリッジ３の着脱を容易に行うことができるようになっている
また、整水器本体１の平面視台形状の上面１ｄには操作表示部２５が設けられている。操作表示部２５を設けた整水器本体１の上面１ｄは、図２や図５のように、シンク２８の前方に位置する使用者から見易く、操作し易くするために、前方ほど下方に位置するような下り傾斜状に施されている。なお、整水器本体１の上面１ｄから突出する吐水管１４は、使用者による操作表示部２５の操作や使用者の操作表示部２５への視界を妨げないように、整水器本体１の上面１ｄにおける後端部から突出されている。
【００２５】
具体的な整水器本体１の上面部の構造としては、図１や図２のように、整水器本体１のハウジング１００の上部に整水器本体１の上面１ｄを構成する上面カバー状の操作盤９が被着されて構成されている。整水器本体１のハウジング１００の上部には電装部収納用凹部３２が形成されている。電装部収納用凹部３２はその底壁３３から外周壁３４を上方に突出してこの外周壁３４により囲繞されて上方に開口せる操作盤取付用開口１０を有しており、この操作盤取付用開口１０に操作盤９を嵌合させることで、操作盤取付用開口１０が操作盤９によって塞がれるようにされている。叙述のように整水器本体１の上面は前下がり形状に形成されているから、電装部収納用凹部３２（底壁３３や外周壁３４や操作盤取付用開口１０等）や操作盤９はそれぞれ前下がり形状に形成されている。電装部収納用凹部３２には操作表示部２５にかかる各電装部品４８が収納されるのであり、操作盤９の表面には操作部２６の各種ボタン２６ａ〜２６ｃ等や表示部２７の表示窓２７ａ等が形成され、操作盤９の下面では上記各電装部品４８との電器的接続や別途電装部品が実装したりされている。なお、電装部収納用凹部３２には制御部１６にかかる電装部品も適宜配設してもよい。
【００２６】
操作盤９の外周端には全周に亙って下方に屈曲垂下させた嵌合用突部３５が形成されている。また、操作盤９の下面の周縁部（嵌合用突部３５より内側）には全周に亙って下方に垂設させた水切り壁３１が形成されている。また、操作盤９の後部域には左右一対のボス３６が下方に垂設されており、整水器本体１の前面に沿う水切り壁３１の前部部位の下端には複数の係止脚３７が下方に垂設されている。本例では３つの係止脚３７が形成されており、左右両側の係止脚３７ａには係止爪３８が形成されており、中央の係止脚３７ｂにはビス挿通用穴４３が穿設されている。
【００２７】
電装部収納用凹部３２の外周壁３４の上端部には全周に亙って嵌合用溝部３９が形成されている。また、電装部収納用凹部３２の周縁部には、全周に亙って、外周壁３４の内周面に隙間を隔てて対面するように底壁３３から上方に突設した堰壁４０が形成されている。つまり、操作盤取付用開口１０の内縁には、その全周に亙るように、外周壁３４と堰壁４０と底壁３３で囲まれた上方に開口せる受溝部１１が形成されている。また、図６のように、電装部収納用凹部３２の底壁３３の後部域（堰壁４０よりも内側部位）には左右一対のビス挿通用穴４４が穿設されており、整水器本体１の前面に沿う受溝部１１の前部部位の溝底（電装部収納用凹部３２の底壁３３が構成）には操作盤９の係止脚３７を遊挿させる係止用孔４２が穿設されている。詳しくは、この係止用孔４２は、図２のように、上記受溝部１１の前部部位と上記整水器本体１の前面１ａに形成された引込凹部３０ａとを連通させるように形成されている。
【００２８】
電装部収納用凹部３２の操作盤取付用開口１０への操作盤９の被着は、操作盤９の嵌合用突部３５を電装部収納用凹部３２の周壁の嵌合用溝部３９に嵌合すると共に、操作盤９の係止脚３７を電装部収納用凹部３２の受溝部１１の係止用孔４２に挿入し、左右両側の係止脚３７ａの係止爪３８を係止用孔４２の孔縁に係止させると共に、当接された中央の係止脚３７ｂと整水器本体１のハウジング１００の前面、及び当接された操作盤９のボス３６と電装部収納用凹部３２の底壁３３を、それぞれビス挿通用穴４３，４４にビス４５，４６を通して結合することで行われる。すなわち、操作盤９はその全周端縁が操作盤取付用開口１０に対して内嵌合されて綺麗な仕舞い外観を現出する。また、本例では嵌合用溝部３９の内側の溝壁上端に嵌合用溝部３９の溝側に向けて丸みを持たせて傾斜せるＲ部３９ａを形成しているので（図１（ｃ））、嵌合用突部３５の嵌合用溝部３９への嵌入が上記Ｒ部３９ａによるガイドを受けて確実且つ作業性良く行い得るようにされている。なお、このように電装部収納用凹部３２の操作盤取付用開口１０に操作盤９を被着した状態では、図１（ｂ）（ｃ）のように、操作盤９の水切り壁３１が電装部収納用凹部３２の受溝部１１内に遊挿された状態になっている。
【００２９】
ところで、整水器本体１をシンク周りに設置した場合、流し台に備える水栓からの吐水等を整水器本体１にかけてしまうことも考えられるが、本例の整水器本体１にあっては従来に比べて防水機能の格段の強化が図られており、シンク周りに設置するに適した整水器本体１とされている。つまり、水栓からの吐水等が整水器本体１の上面部にかかってしまう場合が、整水器本体１の全体に水がかかって、整水器本体１の防水性能が問われる状況となる。殊に、本例の整水器本体１ではその上面部が操作盤取付用開口１０に操作盤９を被着した構造とされており、操作盤９と操作盤取付用開口１０との間から水が整水器本体１の内部に浸入する恐れがあるが、この操作盤９と操作盤取付用開口１０との間から浸入する水に対する防水構造を備えたことで防水機能の格段の強化が図られている。
【００３０】
すなわち、本例の整水器本体１にあっては、操作盤９と操作盤取付用開口１０との間から水が浸入したとしても、この浸入した水を操作盤取付用開口１０の内縁に亙って設けた受溝部１１で受け、受溝部１１から排水部１２を経て整水器本体１の外部に排出することができるようにされており、整水器本体１の防水機能が強化されている。また、操作盤９と操作盤取付用開口１０との間から浸入して操作盤９の下面に伝おうとする水があっても、叙述のように操作盤９の下面の周縁部に亙って突設する水切り壁３１が上記受溝部１１に挿入されているので、この水切り壁３１によって上記水を受溝部１１に滴り落とし、受溝部１１から排水部１２を経て整水器本体１の外部に排水させることができるようにされている。したがって、電装部品が実装されたり電気的接続が為される操作盤９の下面は、上記操作盤９と操作盤取付用開口１０との間から浸入する水に対する保護がなされており、整水器本体１の防水機能の強化が図られている。
【００３１】
具体的に、受溝部１１は操作盤取付用開口１０の内縁に亙って設けられているから、操作盤９と操作盤取付用開口１０との間から浸入した水を漏れなく受けることができる。また、本例の受溝部１１は整水器本体１の上面部の形状と同様に前下がり形状に形成されており、つまり受溝部１１はその後部よりもその前部が下位置に位置するように形成されている。しかして、受溝部１１で受けた水は低位置である受溝部１１の前部部位に流れ集まるようになっている。そして、受溝部１１の前部部位に集まった水は、受溝部１１の前部部位に形成されて係止脚３７が遊挿された係止用孔４２を通って、整水器本体１の内部と隔絶された引込凹部３０ａに流下されるようになる。係止用孔４２を経て引込凹部３０ａに流下された水は、整水器本体１の内部と隔絶された引込凹部３０ａを流下していき、被着した前面蓋６ａと引込凹部３０ａとの下端部から整水器本体１の外部に排出されるのである。
【００３２】
このように本例では、受溝部１１で受けた水を整水器本体１の外部に排出する排水部１２は、操作盤９の操作盤取付用開口１０への被着に用いる係止用孔４２を兼用して構成されており、受溝部１１で受けた水の排水を行うためだけの排水経路を別個に整水器本体１に形成することが回避されていて、整水器本体１の構成の簡略化が図られている。また、排水部１２を流れる排水は、受溝部１１から整水器本体１の内部と隔絶された整水器本体１の前面部位である引込凹部３０ａに排出させて、引込凹部３０ａと被着した前面蓋６ａとの間から整水器本体１の外部に排出させるようになっているので、排水部１２を浄水カートリッジ３の着脱に用いる前面蓋６ａによって隠匿させて目立たない構造にできたものであり、つまり、整水器本体１の良好な外観を確保しながらも整水器本体１の防水機能の強化が図られているのである。
【００３３】
また、詳しくは、本例の排水部１２を構成する係止用孔４２の引込凹部３０ａ側の開口部位には、引込凹部３０ａに被着した前面蓋６ａの裏面に対してその前縁が微小隙間ｓを隔てて位置するような、前方に開口せる横穴状の排水ガイド部４７が形成されており、係止用孔４２を経て引込凹部３０ａに流下された水は、排水ガイド部４７を経て前面蓋６ａの裏面を伝って引込凹部３０ａ内を流下していき、前面蓋６ａの下縁から整水器本体１の外部（整水器本体１の前面の下端部分）に排出されるようなっている。本例の引込凹部３０ａ内にはカートリッジ収納凹所５が開口されてカートリッジが収納されるのであるが、叙述のように受溝部１１からの排水が排水ガイド部４７を経て前面蓋６ａの裏面を伝うように引込凹部３０ａを流下するようにされているので、受溝部１１から至り引込凹部３０ａを流下する排水が、浄水カートリッジ３やカートリッジ収納凹所５に伝って、浄水カートリッジ３の水経路２への接続部位（カートリッジ側接続口８の本体側接続口７への接続部位）などから整水器本体１の内部に浸入してしまうといった恐れも回避されており、この点でも整水器本体１の防水機能の強化が図られている。
【図面の簡単な説明】
【００３４】
【図１】本発明の実施の形態の例のアルカリイオン整水器であり、（ａ）は要部の分解斜視図であり、（ｂ）は要部の正面断面図であり、（ｃ）は（ｂ）のＡ部の拡大図である。
【図２】同上の要部の側面断面図である。
【図３】同上のアルカリイオン整水器の前面蓋を開けた状態の斜視図である。
【図４】同上のアルカリイオン整水器の前面蓋を透視した状態の正面図である。
【図５】同上のアルカリイオン整水器の前面蓋を被着した状態の縦断面図である。
【図６】同上の電装部収納用凹部の上面図である。
【図７】同上のアルカリイオン整水器のシンク周りへの設置を説明する平面図である。
【図８】同上のアルカリイオン整水器の概略構成図である。
【符号の説明】
【００３５】
１  整水器本体
１ａ  前面
１ｄ  上面
２  水経路
３  浄水カートリッジ
４  電解槽
５  カートリッジ収納凹所
６  蓋材
６ａ  前面蓋
９  操作盤
１０  操作盤取付用開口
１１  受溝部
１２  排水部
３０  蓋材被覆部
３０ａ  引込凹部
３１  水切り壁
３２  電装部収納用凹部
４２  係止用孔
４７  排水ガイド部
【図１】
2008168237.tif 000003
【図２】
2008168237.tif 000004
【図３】
2008168237.tif 000005
【図４】
2008168237.tif 000006
【図５】
2008168237.tif 000007
【図６】
2008168237.tif 000008
【図７】
2008168237.tif 000009
【図８】
2008168237.tif 000010